(57)【要約】【課題】耳に装着しやすく、毛髪を染毛する際や毛髪にパーマを施す際に、耳に染毛剤やパーマ液等の薬剤が付着することを防止できる薬剤付着防止用耳カバーを提供する。【解決手段】薬剤が耳に付着することを防止するために耳に装着する耳用のカバーであり、少なくとも耳の上縁部分を覆うように配置され、開口部１１を有する袋状の耳カバー本体１０を備え、この耳カバー本体１０内に耳を通すための挿入口１３または耳カバー本体１０内に耳を通すための挿入口１３を形成できる切り取り線が形成される薬剤付着防止用耳カバー１００。【選択図】図１
2018011643.tif 000002
【特許請求の範囲】
【請求項１】
薬剤が耳に付着することを防止するために耳に装着する耳用のカバーであり、
少なくとも耳の上縁部分を覆うように配置され、開口部を有する袋状の耳カバー本体を備え、
前記耳カバー本体内に耳を通すための挿入口または前記耳カバー本体内に耳を通すための挿入口を形成できる切り取り線が形成される薬剤付着防止用耳カバー。
【請求項２】
前記耳カバー本体の前記開口部は、前記耳カバー本体を耳に装着する際に、少なくとも前記耳の上縁部分を前記耳カバー本体内にガイドする指を挿入できる請求項１に記載の薬剤付着防止用耳カバー。
【請求項３】
前記挿入口と前記開口部が、前記耳カバー本体内部で連通する請求項１または２に記載の薬剤付着防止用耳カバー。
【請求項４】
前記開口部は、前記耳カバー本体の一端部側に形成されており、耳に装着した際には前記開口部から耳の下端部分が露出する請求項１〜３のいずれか一項に記載の薬剤付着防止用耳カバー。
【請求項５】
前記挿入口の周縁部または前記切り取り線の周縁部には、切れ込み、または切れ込みを形成できる切り取り線であるミシン目が形成されている請求項１〜４のいずれか一項に記載の薬剤付着防止用耳カバー。
【請求項６】
前記切れ込みまたは前記ミシン目には、前記挿入口の両端に形成されて前記挿入口の長さを延長できる延長切り取り線が含まれている請求項５に記載の薬剤付着防止用耳カバー。
【請求項７】
前記切れ込みまたは前記ミシン目には、前記切り取り線を切り取りして前記挿入口を形成した後、当該挿入口の長さを延長できる延長切り取り線が含まれている請求項５に記載の薬剤付着防止用耳カバー。
【請求項８】
前記耳カバー本体は、紙、不織布、ビニール、及び、シリコンからなる群より選択される１つ以上の材料から形成されている請求項１〜７のいずれか一項に記載の薬剤付着防止用耳カバー。
【請求項９】
前記耳カバー本体が、第１のシート状部材と、前記第１のシート状部材に重ねられた第２のシート状部材と、からなる請求項１〜８のいずれか一項に記載の薬剤付着防止用耳カバー。
【請求項１０】
前記第１のシート状部材と前記第２のシート状部材とは、異なる材質からなるものである請求項９に記載の薬剤付着防止用耳カバー。
【発明の詳細な説明】
【技術分野】
【０００１】
本発明は、薬剤付着防止用耳カバーに関し、更に詳しくは、耳に装着しやすく、毛髪を染毛する際や毛髪にパーマを施す際に、耳に染毛剤やパーマ液等の薬剤が付着することを防止でき、且つ、使用感が向上され、装着後に外れ難い薬剤付着防止用耳カバーに関する。
【背景技術】
【０００２】
近年、清潔感を保ち、自分の印象を良く見せることに関心が持たれるようになっている。特に、毛髪を染毛したり、パーマをかけたりすることは、年齢、性別を問わず、重要な関心事の一つとなっている。
【０００３】
しかし、染毛剤やパーマ液等の薬剤は、耳等に付着した場合には容易に落とし難いため、予め、耳に薬剤が付着しないように耳キャップを取り付ける場合がある。
【０００４】
具体的には、ヘアサロンなどでヘアカラーやパーマを施術する際に、使用する染毛剤やパーマ液等の薬剤が被施術者の耳に付いてしまうことや、耳の中に入ってしまうことがある。このような問題を防止するために、耳キャップが使用されている。
【０００５】
この耳キャップは、ビニール製で開口部の外周縁にゴムが付いている構造のものが一般的に知られている（特許文献１参照）。そして、耳キャップは、外周縁のゴムを広げて耳にはめられ、このゴムの収縮力によって耳上に保持される。
【先行技術文献】
【特許文献】
【０００６】
【特許文献１】実用新案登録第３０６２３１０号公報
【発明の概要】
【発明が解決しようとする課題】
【０００７】
しかし、特許文献１に記載の耳キャップは、簡単に耳に装着することが難しく、両手を使って、取り付け状態を気にしながら慎重に耳に嵌めなければならない。また、耳に対する接着性を向上させるために接着部品を備えているが、耳は、個人差が大きく、形や大きさなどが様々であり、十分に固定できないことがある。そのため、依然として耳キャップがずれたりすることがあり、薬剤が耳に付着しないことを十分に防止できないことがある。
【０００８】
また、耳キャップが施術中に外れてしまうことを防止するために、ある程度締め付けの強いゴムが用いられるが、このゴムによって耳の根本を圧迫するため長時間装着すると痛く感じたり不快に感じたりすることがある。
【０００９】
また、耳たぶがない人や耳たぶが小さい人は、ゴムが耳の下部に十分にかからないことが多く、耳キャップが外れてしまい易い。そのため、施術等作業中に耳キャップが外れて、薬剤が耳に付着してしまうことがある。この場合、外れた耳キャップを、再度、耳にはめる場合には、薬剤等を塗付するなどの作業を中断した上で手を洗浄する必要があり、作業効率を低減させることになる。
【００１０】
本発明は、このような従来技術の有する問題点に鑑みてなされたものであり、その課題とするところは、耳に装着しやすく、毛髪を染毛する際や毛髪にパーマを施す際に、耳に染毛剤やパーマ液等の薬剤が付着することを防止できる薬剤付着防止用耳カバーを提供することにある。
【課題を解決するための手段】
【００１１】
本発明によれば、以下に示す、薬剤付着防止用耳カバーが提供される。
【００１２】
［１］  薬剤が耳に付着することを防止するために耳に装着する耳用のカバーであり、
少なくとも耳の上縁部分を覆うように配置され、開口部を有する袋状の耳カバー本体を備え、前記耳カバー本体内に耳を通すための挿入口または前記耳カバー本体内に耳を通すための挿入口を形成できる切り取り線が形成される薬剤付着防止用耳カバー。
【００１３】
［２］  前記耳カバー本体の前記開口部は、前記耳カバー本体を耳に装着する際に、少なくとも前記耳の上縁部分を前記耳カバー本体内にガイドする指を挿入できる前記［１］に記載の薬剤付着防止用耳カバー。
【００１４】
［３］  前記挿入口と前記開口部が、前記耳カバー本体内部で連通する前記［１］または［２］に記載の薬剤付着防止用耳カバー。
【００１５】
［４］  前記開口部は、前記耳カバー本体の一端部側に形成されており、耳に装着した際には前記開口部から耳の下端部分が露出する前記［１］〜［３］のいずれかに記載の薬剤付着防止用耳カバー。
【００１６】
［５］  前記挿入口の周縁部または前記切り取り線の周縁部には、切れ込み、または切れ込みを形成できる切り取り線であるミシン目が形成されている前記［１］〜［４］のいずれかに記載の薬剤付着防止用耳カバー。
【００１７】
［６］  前記切れ込みまたは前記ミシン目には、前記挿入口の両端に形成されて前記挿入口の長さを延長できる延長切り取り線が含まれている前記［５］に記載の薬剤付着防止用耳カバー。
【００１８】
［７］  前記切れ込みまたは前記ミシン目には、前記切り取り線を切り取りして前記挿入口を形成した後、当該挿入口の長さを延長できる延長切り取り線が含まれている前記［５］に記載の薬剤付着防止用耳カバー。
【００１９】
［８］  前記耳カバー本体は、紙、不織布、ビニール、及び、シリコンからなる群より選択される１つ以上の材料から形成されている前記［１］〜［７］のいずれかに記載の薬剤付着防止用耳カバー。
【００２０】
［９］  前記耳カバー本体が、第１のシート状部材と、前記第１のシート状部材に重ねられた第２のシート状部材と、からなる前記［１］〜［８］のいずれかに記載の薬剤付着防止用耳カバー。
【００２１】
［１０］  前記第１のシート状部材と前記第２のシート状部材とは、異なる材質ならなるものである前記［９］に記載の薬剤付着防止用耳カバー。
【発明の効果】
【００２２】
本発明の薬剤付着防止用耳カバーは、耳に装着しやすく、毛髪を染毛する際や毛髪にパーマを施す際に、耳に染毛剤やパーマ液等の薬剤が付着することを防止できるものである。
【図面の簡単な説明】
【００２３】
【図１】本発明の薬剤付着防止用耳カバーの一の実施形態を模式的に示す平面図である。
【図２】図１の薬剤付着防止用耳カバーを側方から見た状態を模式的に示す平面図である。
【図３】図１の薬剤付着防止用耳カバーにおける第１のシート状部材を模式的に示す平面図である。
【図４】図１の薬剤付着防止用耳カバーにおける第２のシート状部材を模式的に示す平面図である。
【図５】本発明の薬剤付着防止用耳カバーの他の実施形態を模式的に示す平面図である。
【図６】本発明の薬剤付着防止用耳カバーの更に他の実施形態を模式的に示す平面図である。
【図７】本発明の薬剤付着防止用耳カバーの更に他の実施形態を模式的に示す平面図である。
【図８】本発明の薬剤付着防止用耳カバーの更に他の実施形態を模式的に示す平面図である。
【図９】装着者を側方から見た説明図であり、装着者の耳を模式的に示す図である。
【図１０】本発明の薬剤付着防止用耳カバーの一の実施形態を耳に装着する際の状態を模式的に示す説明図である。
【図１１】本発明の薬剤付着防止用耳カバーの一の実施形態を耳に装着した状態を模式的に示す平面図である。
【図１２】本発明の薬剤付着防止用耳カバーの一の実施形態を耳に装着した状態を模式的に示す平面図である。
【図１３】本発明の薬剤付着防止用耳カバーの更に他の実施形態を模式的に示す平面図である。
【発明を実施するための形態】
【００２４】
以下、本発明の実施の形態について説明するが、本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。
【００２５】
［１］薬剤付着防止用耳カバー：
本発明の薬剤付着防止用耳カバーの一の実施形態は、図１、図２に示される薬剤付着防止用耳カバー１００である。この薬剤付着防止用耳カバー１００は、薬剤が耳に付着することを防止するために耳に装着する耳用のカバーであり、少なくとも耳の上縁部分Ｊ（図９において破線で囲まれた領域）を覆うように配置され、開口部１１を有する袋状の耳カバー本体１０を備えている。そして、この薬剤付着防止用耳カバー１００には、耳カバー本体１０内に耳を通すための挿入口１３または耳カバー本体内に耳を通すための挿入口を形成できる切り取り線（図５参照）が形成されている。図９は、装着者を側方から見た模式図であり、装着者の耳２００を模式的に示す図である。
【００２６】
図１は、第１のシート状部材２１と、この第１のシート状部材２１に重ねられた第２のシート状部材２３と、からなる袋状の耳カバー本体１０を備える薬剤付着防止用耳カバー１００を示しており、装着するときに外側となる面側から見た状態を模式的に示す平面図である。
【００２７】
図１は、本発明の薬剤付着防止用耳カバーの一の実施形態を模式的に示す平面図である。図２は、図１の薬剤付着防止用耳カバーを側方から見た状態を模式的に示す平面図である。なお、図２は、全体としてシート状の薬剤付着防止用耳カバーを示すための図であり、説明の都合上、厚く記載している。
【００２８】
薬剤付着防止用耳カバー１００は、耳に装着しやすく、毛髪を染毛する際や毛髪にパーマを施す際に、耳に染毛剤やパーマ液等の薬剤が付着することを防止できる。このような薬剤付着防止用耳カバー１００は、特に、ヘアサロンなどで染毛作業、パーマ作業、ヘアトリートメント作業、ヘアパック作業、シャンプー作業等を行う際の作業効率を向上させたり、自ら染毛作業等を行う場合の作業効率を向上させたりすることができる。なお、本明細書において「薬剤」としては、例えば、染毛剤（ヘアカラー、ヘアマニキュアなど）、パーマ剤、ヘアトリートメント、ヘアパック、シャンプーなどを挙げることができ、特に、染毛剤、パーマ剤、ヘアトリートメント、ヘアパックなどを挙げることができる。なお、本明細書において「薬剤」は、これらに限られるものではない。
【００２９】
薬剤付着防止用耳カバー１００は、挿入口１３と開口部１１とが、耳カバー本体１０内部で連通していることがよい。なお、「挿入口１３と開口部１１とが、耳カバー本体１０内部で連通する」とは、挿入口１３と開口部１１とが耳カバー本体１０内の空間を介して繋がっていると言うこともできる（図１０参照）。このような構成であると、耳の上縁部分をガイドする指が直接に耳に触れながら耳カバー本体１０を耳に装着させられるため、薬剤付着防止用耳カバー１００の装着が容易になる。
【００３０】
薬剤付着防止用耳カバー１００（即ち、耳カバー本体１０）の形状は、特に制限はなく適宜設定することができるが、卵形状（楕円形状において長辺方向の両端の曲率が異なる形状）、楕円形状、円形状、三角形状、四角形状などの多角形状などとしてもよい。このように様々な形状を適宜採用することができ、縦方向の長さと横方向の長さは、同じであってもよいし、異なっていてもよい。なお、「縦方向」とは、耳に装着する際における上下方向を意味する。また、「横方向」とは、耳に装着する際における左右方向を意味する。ここで、以下、縦方向の長さが、横方向の長さに比べて長い形状を「縦長形状」と記す場合がある。「縦長形状」における縦方向を「縦長方向」と記す場合がある。
【００３１】
図１には、卵形状の薬剤付着防止用耳カバー１００を示している。このように卵形状とすることにより、装着者の耳に適した状態で装着されるので、薬剤の塗布中に薬剤付着防止用耳カバー１００がズレたりすることが良好に防止される。
【００３２】
なお、本発明の薬剤付着防止用耳カバーは、図１３に示す薬剤付着防止用耳カバー１０５のように、長方形状であってもよい。このように長方形状であると、製造工程において材料（シート状部材）の無駄が少なくなり、また、簡単に製造できることになる。特に、薬剤付着防止用耳カバーについて後述するように１枚のシート状部材から製造する場合には上記効果が得られる。具体的には、１枚のシート状部材を折り畳み、その後、重なる部分の一部を接合することで袋状の耳カバー本体を形成する場合、帯状（長方形状）の１枚のシート状部材の一方の端部側を折り返し、その両端を固定することで袋状にすることができる。
【００３３】
薬剤付着防止用耳カバー１００（即ち、耳カバー本体１０）の大きさは、特に制限はなく従来公知の耳キャップが採用する大きさを適宜採用することができるが、例えば、縦方向の長さ（最大幅）Ｘが４〜１２ｃｍ程度であり、横方向の長さ（最大幅）Ｙが４〜９ｃｍ程度である。
【００３４】
［１−１］耳カバー本体：
耳カバー本体１０は、少なくとも耳の上縁部分Ｊ（図９参照）を覆うように配置され、開口部１１を有する袋状のものである。耳カバー本体は、耳をその内部に収納できる袋状構造を有するものである。このように構成されることにより、少なくとも耳の上縁部分を収納して、染毛剤又はパーマ液等の薬剤を毛髪に塗布する際に、これらの薬剤が誤って耳に付着することを防止できる。図１１、図１２は、薬剤付着防止用耳カバー１００（即ち、耳カバー本体１０）を右耳に装着した状態を模式的に示しており、薬剤付着防止用耳カバー１００によって耳（特に薬剤が付着し易い上縁部分など）がカバーされている状態を示している。なお、図１２は、装着者の正面側から見た薬剤付着防止用耳カバー１００の装着状態を示している。図１１、図１２は、本発明の薬剤付着防止用耳カバーを右耳に装着した状態を示しているが、両耳に使用可能であることは勿論である。
【００３５】
ここで、従来の耳キャップは、特許文献１の記載のように耳全体を覆うような構造のものの場合、耳から外れずに安定して保持されるか否かは、ゴムや耳の形などに左右され、安定して保持させようとすると使用感が低減しやすい傾向にある。一方、本発明の薬剤付着防止用耳カバーは、耳カバー本体内に耳を挿入して装着するものであるため、耳の形に左右され難く、ゴム等による耳への圧迫もない。そのため、耳への保持性を有し且つ使用感が向上されている。
【００３６】
「少なくとも耳の上縁部分を覆うように配置され」るのは、薬剤を毛髪に塗付する作業を行う際には、耳の上縁部分が最も薬剤が付着し易い箇所であるので、少なくとも当該箇所を覆うことで、薬剤が耳に付着してしまうことを防止するためである。このように、薬剤付着防止用耳カバー１００によって少なくとも耳の上縁部分が被覆されることが必要であるが、装着後に薬剤付着防止用耳カバー１００が簡単に外れてしまうことを防止する（即ち、誤って耳から脱落することを防ぐ）という観点からすれば、挿入口に耳全体が挿入されて耳の上縁部分以外（例えば、もみあげ等の周辺近傍の部位）も被覆されることがよい。なお、もみあげ等の周辺近傍の部位についても薬剤が付着し易い部分であるため、この部位が被覆されることで薬剤が耳に付着してしまうことを良好に防止できる。また、挿入口には、耳全体が挿入されることがよいが、耳の一部（但し、耳の上縁部分を含む）が挿入されることでもよい。
【００３７】
なお、本明細書において「耳」は、耳介のことをいう。そして、「耳の上縁部分」とは、耳介のうちの耳輪の部分をいう。
【００３８】
耳カバー本体１０は、耳をその内部に収納できる袋状構造である限り特に制限はない。即ち、例えば風船状のような袋状構造であってもよいし、１枚のシート状部材を折り畳み、その後、重なる部分の一部を接合することで袋状としたものでもよい。更に、複数枚のシート状部材を重ねて、重なる部分の一部を接合することで袋状としたものでもよい。なお、耳カバー本体について、折り畳まれた１枚のシート状部材、または、積層された複数枚のシート状部材から構成すると（即ち、薬剤付着防止用耳カバーが全体としてシート状であると）、嵩張り難く、製造が簡単になるなどの利点がある。図１に示す薬剤付着防止用耳カバー１００は、２枚のシート状部材（図３に示す第１のシート状部材２１と図４に示す第２のシート状部材２３）を重ねて、重なる部分の一部を接合することで袋状としたものである。
【００３９】
図３は、図１の薬剤付着防止用耳カバーにおける第１のシート状部材を模式的に示す平面図である。図４は、図１の薬剤付着防止用耳カバーにおける第２のシート状部材を模式的に示す平面図である。
【００４０】
本明細書において、「袋状」とは、内部に耳を収納できる空間が存在し、少なくとも１つの開口部を有する形状をいう。ここで、本発明は、開口部を有する袋状の耳カバー本体において、上記開口部以外に別途挿入口が形成されている。
【００４１】
耳カバー本体１０は、紙、不織布、ビニール、及び、シリコンからなる群より選択される１つ以上の材料から形成することができる。このような材質から形成される場合には、全体として軽量化でき、装着者の耳における圧迫感や不快感を軽減させることができる。これらのうちでも、紙や不織布を用いると、ビニールやシリコンの場合に比べて通気性が良いため耳が蒸れ難く、装着者が不快に感じ難くなる。また、不織布であると、仮に薬剤付着防止用耳カバー１００に薬剤が付着した場合にも、紙の場合に比べて、良好に薬剤から耳を保護することができる。即ち、紙の場合、薬剤が薬剤付着防止用耳カバー１００に浸透し、その結果、薬剤が耳に触れてしまうおそれがあるが、不織布の場合には薬剤が薬剤付着防止用耳カバー１００に浸透してしまうことを防止できる。
【００４２】
なお、防水加工がされている不織布や紙を用いることもできる。この場合、防水加工は、耳カバー本体の全部に施されてもよいし、一部に施されてもよい。耳カバー本体の一部に防水加工がされる場合、防水加工が施される部分は特に制限されないが、少なくとも耳の上縁部分を覆う部分に防水加工がされることがよい。
【００４３】
このように、耳カバー本体の一部に防水加工などの処理がされてもよいし、別の態様としては、耳カバー本体の周縁部と、この周縁部を除く部分とが、異なる材質となるように構成してもよい。このように構成されることにより、薬液が付着しやすい箇所は薬液が浸透しないような材料で形成し、その他の部分については通気性が良い材質（透水性のある材質もでもよい）で形成することができる。このようにすることで、装着者への圧迫感や不快感を低減できる。
【００４４】
耳カバー本体１０（薬剤付着防止用耳カバー１００）は、図１に示すように、第１のシート状部材２１と、この第１のシート状部材２１に重ねられた第２のシート状部材２３と、からなるものとすることができ、このようにすると製造が容易である。なお、第１のシート状部材２１と第２のシート状部材２３とは、その周縁部を、圧着による方法、溶着による方法、接着剤を用いた方法などによって互いに接合することができる。
【００４５】
第１のシート状部材２１と第２のシート状部材２３とは、同じ材質であってもよいし、異なる材質であってもよい。第１のシート状部材２１と第２のシート状部材２３とは、異なる材質とすることで、良好な装着性を確保しつつ、薬剤から耳を良好に保護することができる。即ち、具体的には、耳と頭皮との間のシート（頭皮に接するシート）については、通気性の良いシートを採用し、反対側のシート（装着した際に外側に位置するシート）については、撥水性の良いシートとすることができる。
【００４６】
［１−１−１］開口部：
袋状の耳カバー本体１０の開口部１１は、耳カバー本体１０（薬剤付着防止用耳カバー１００）を耳に装着する際に、少なくとも耳の上縁部分を耳カバー本体１０内にガイドする指を挿入する際の開口である。開口部１１が形成されていることにより、この開口部１１に指４１を挿入し（図１０参照）、挿入された指４１をガイドにして簡単に薬剤付着防止用耳カバー１００を耳２００に装着することができる（図１０〜図１２参照）。
【００４７】
耳カバー本体１０の開口部１１は、耳カバー本体１０の一端部側（耳カバー本体１０が縦長形状の場合、縦方向の一方の端部側）に形成することができる。このようにすることで、薬剤付着防止用耳カバー１００を耳に装着する作業が簡単になる。耳カバー本体１０が縦長形状の場合、挿入口１３は、耳カバー本体１０内に挿入した指に沿って延びる縦長の形状（別言すれば、縦長形状の耳カバー本体１０の縦長方向に延びる形状）とすることができる。図１は、耳カバー本体１０が縦長形状であって、スリット１５からなる挿入口１３が、縦長形状の耳カバー本体１０の縦長方向に延びる形状である薬剤付着防止用耳カバー１００を示している。
【００４８】
本発明の薬剤付着防止用耳カバーは、耳に装着した際に開口部から耳の下端部分が露出することがよい（図１１、図１２参照）。具体的には、図１に示すように、薬剤付着防止用耳カバー１００の耳カバー本体１０が、第１のシート状部材２１と、この第１のシート状部材２１に重ねられた第２のシート状部材２３と、からなる場合、一方のシート状部材（第１のシート状部材２１）の面積が他方のシート状部材（第２のシート状部材２３）の面積よりも大きい構成とすることができる。また、第１のシート状部材２１と第２のシート状部材２３との面積が同じであっても、互いに重ならない部分が存在するように積層させることで、薬剤付着防止用耳カバーを耳に装着した際に開口部から耳の下端部分が露出するように構成することもできる。なお、２枚のシート状部材から構成される場合について説明したが、１枚のシート状部材を折り畳んで耳カバー本体を形成する場合には、互いに重ならない部分が存在するように折り畳むことで、薬剤付着防止用耳カバーを耳に装着した際に開口部から耳の下端部分が露出するように構成することができる。図１１は、本発明の薬剤付着防止用耳カバーの一の実施形態を耳に装着した状態を模式的に示す平面図である。なお、本発明の薬剤付着防止用耳カバーは、耳に装着した際に開口部から耳の下端部分が露出しないものでもよい。この場合、耳の全部が覆われることになり、露出する部分が無くなるため、耳に薬剤が付着することを確実に防止できる。
【００４９】
上記のように、薬剤付着防止用耳カバーを耳に装着した際に開口部から耳の下端部分が露出するような構造であると、耳カバー本体１０によって耳全体が覆われず、装着者に対して圧迫感や耳障りな音や感じを低減させることができ、不快に感じさせ難くなる。更に、施術者と会話等もし易くなる。そのため、装着者における使用感が向上する。即ち、薬剤の付着は、耳の近くに薬剤を塗付する際に生じやすい。そのため、耳の上縁部分及び耳の中域部分については被覆させ、耳の下端部分（即ち、耳たぶ）（図９において符号Ａで示す領域）を露出させることで、薬剤の付着を防ぐだけでなく装着感等を向上させることができる。なお、「中域部分」は、耳の上縁部分と下端部分以外の部分のことである。
【００５０】
また、上記のような構成であると、耳カバー本体１０内に挿入した指の露出部分が多くなり、耳カバー本体１０内に挿入した状態における指の可動性が向上する。このように指の可動性が向上すると、薬剤付着防止用耳カバーを耳に装着するための作業が更に簡単になる。例えば、「耳を通すための挿入口を形成できる切り取り線」が形成されている場合、薬剤付着防止用耳カバーの使用時には、この切り取り線を破断する必要がある。この切り取り線の破断は、耳カバー本体内に挿入した指（例えば、人差し指と中指）を広げることで行うことができるが、上記構成であると、耳カバー本体内に挿入した指（例えば、人差し指と中指）を広げ易くなり、切り取り線を簡単に破断することが可能になる。なお、切り取り線は、指を広げて破断することに限られず、耳カバー本体内に指を挿入する前に予め破断してもよいことは勿論である。なお、耳カバー本体内に挿入する指は、人差し指と中指に限られない。また、薬剤付着防止用耳カバーを耳に装着する際には、両手を使用してもよい。
【００５１】
開口部１１の大きさは、耳の上縁部分を耳カバー本体内にガイドする指を挿入できる程度の大きさであれば特に制限はない。
【００５２】
［１−１−２］挿入口、切り取り線：
耳カバー本体１０には、開口部１１以外に、その内部に耳を通すための挿入口１３または耳カバー本体１０内に耳を通すための挿入口１３を形成できる切り取り線が形成されている。
【００５３】
挿入口は、耳カバー本体の内部に耳を通すことができる限りその形状などは特に制限はなく適宜設定することができる。即ち、この挿入口は、耳カバー本体内に耳を通すための口であればよく、スリット、貫通孔などを含む概念である。図１は、耳カバー本体１０に、挿入口１３としてスリット１５が形成されている例を示している。図５は、耳カバー本体に、挿入口１３として貫通孔１７が形成されている例を示している。
【００５４】
挿入口の形成位置は、特に制限はなく適宜設定することができるが、薬剤付着防止用耳カバーを装着した際に、この薬剤付着防止用耳カバーが、薬剤を毛髪に塗布する作業の邪魔にならず、更に、薬剤付着防止用耳カバーが耳に安定して装着可能な位置とすることができる。
【００５５】
［１−１−２ａ］スリット：
スリットは、その形成方向（即ち、スリットの延びる方向）について特に制限はなく適宜設定することがよい。例えば、袋状の耳カバー本体が縦長形状である場合、この耳カバー本体の縦長方向に沿って形成してもよいし、耳カバー本体の縦長方向に斜めに形成してもよい。耳カバー本体の縦長方向に沿って形成するか、或いは、耳カバー本体の縦長方向に斜めに（例えば縦長方向に対して０°超で４５°以下程度に斜めに）形成することで、縦長形状の薬剤付着防止用耳カバーに対応して耳を容易に挿入できる。
【００５６】
スリットの形状（即ち、スリットの軌跡）は、特に制限はなく従来公知のスリットの形状を適宜採用できるが、例えば、直線状、波状、ギザギザ状などとしてもよい。また、全体として蛇行していてもよい（即ち、振幅の大きな波状であってもよい）。これらを組み合わせてもよい。図１は、耳カバー本体１０に、挿入口１３として直線状のスリット１５が形成されている例を示している。
【００５７】
スリットの長さは、耳カバー本体内に耳を通すことができる限り特に制限はなく適宜設定することができるが、例えば、３〜１０ｃｍ程度としてもよい。なお、後述する延長切り取り線などを形成してスリットの長さを調節できるようにしている場合には、予め、延長切り取り線などを形成しない場合の長さに比して１〜２割程度短くしておいてもよい。
【００５８】
［１−１−２ｂ］貫通孔：
貫通孔は、耳カバー本体内に耳を通すことができる限りその形状には特に制限はなく適宜設定することができるが、例えば、卵形状、楕円形状、円形状、多角形状、帯状などとすることができる。卵形状や楕円形状を採用する場合（即ち、縦方向と横方向の長さが異なる形状である場合）、その縦方向が耳カバー本体の縦長方向に沿うように形成することがよい。このようにすることで、薬剤付着防止用耳カバー内に耳をより簡単に挿入できるようになる。図５は、耳カバー本体１０に、挿入口１３として楕円形状の貫通孔１７が形成されている薬剤付着防止用耳カバー１０１を示している。
【００５９】
貫通孔の大きさは、耳カバー本体内に耳を通すことができる限り特に制限はなく適宜設定することができる。卵形状、楕円形状とする場合、長径（最長径）αは、例えば、４〜１０ｃｍ程度としてもよく、短径（最短径）βは、例えば、０．５〜４ｃｍ程度としてもよい。なお、後述する延長切り取り線などを形成して貫通孔の長さを調節できるようにしている場合には、長径について、予め、延長切り取り線などを形成しない場合の長さに比して１〜２割程度短くしておいてもよい。
【００６０】
［１−１−２ｃ］切り取り線：
切り取り線は、上記挿入口を形成できる破線（線状に連なった複数の破断部分の集合）のことである。即ち、この切り取り線を破断することで挿入口が形成されることになる。切り取り線を破断して挿入口を形成した後には、上記挿入口と同様の効果を得ることができる。従って、切り取り線の位置や大きさは、上記挿入口と同じ位置や大きさを採用できる。
【００６１】
なお、切り取り線の隣り合う破断部分の間隔は、適宜設定することができ、この間隔を広くすると、切り取り線は切れ難くなる。
【００６２】
この切り取り線は、比較的簡単に破断されるものであることがよい。具体的には、この「耳を通すための挿入口を形成できる切り取り線」は、薬剤付着防止用耳カバーの開口部から挿入したガイド用の指（例えば、人差し指と中指）を広げることで破断される程度であることがよい。このようにすると、薬剤付着防止用耳カバーの装着作業がより簡単になり、ヘアサロンなどでヘアカラーやパーマを施術する際にも施術者が薬剤付着防止用耳カバーを触る機会が少なくなるため、より衛生的である。
【００６３】
図６に示す薬剤付着防止用耳カバー１０２は、耳カバー本体１０内に耳を通すための挿入口を形成できる切り取り線１９が形成されている例である。図６は、本発明の薬剤付着防止用耳カバーの他の実施形態を模式的に示す平面図であり、装着する際に装着者側となる面側から見た状態を模式的に示す図である。
【００６４】
［１−１−３］切れ込み、ミシン目：
薬剤付着防止用耳カバー１００は、挿入口１３の周縁部または切り取り線の周縁部に、切れ込み、または切れ込みを形成できる切り取り線であるミシン目を形成することができる。このような切れ込みを形成することにより、耳に装着する作業がより簡単になる。また、ミシン目を形成することにより、このミシン目を破断した後は、上記切れ込みが形成されることになるため、切れ込みが形成されているときと同様に耳を装着する作業がより簡単になる。
【００６５】
切れ込みまたはミシン目の形状（軌跡）は、特に制限はなく適宜設定することができる。例えば、直線状、曲線状（波状、ギザギザ状を含む）などとしてもよい。また、途中で分岐する形状であってもよい。
【００６６】
切れ込みまたはミシン目の形成方向（即ち、切れ込みまたはミシン目の延びる方向）は、特に制限はなく適宜設定することができる。後述するように横方向に延びていてもよいし、斜め方向に延びていてもよい。斜め方向に延びる切れ込みまたはミシン目の例としては、挿入口の一端または両端から耳カバー本体の周縁部に向かって斜め方向に延びるように形成することなどを挙げることができる。この場合、挿入口の一の端部から斜め方向に延びる切れ込みまたはミシン目は、複数本形成することができる。
【００６７】
切れ込みまたはミシン目には、挿入口の少なくとも一端に形成されて挿入口の長さを延長できる延長切り取り線が含まれていることができ、この延長切れ込み線は、挿入口の両端に形成されてもよい。また、切れ込みまたはミシン目には、切り取り線を切り取りして挿入口を形成した後、この挿入口の長さを延長できる延長切り取り線が含まれていることができる。即ち、切れ込みまたはミシン目は、挿入口の周縁部または切り取り線の周縁部であればどの位置に形成してもよいが、挿入口または切り取り線の少なくとも一端部側に形成されることがよい。このように挿入口または切り取り線の両端に形成される切れ込みまたはミシン目（延長切り取り線）があると、装着者の耳の大きさに適した挿入口とすることができる。そのため、薬剤付着防止用耳カバーの汎用性や使用感を向上させることができる。
【００６８】
延長切り取り線は、挿入口または切り取り線の延長線上に延びるように形成されることがよい。そして、この延長切り取り線は、薬剤付着防止用耳カバーを装着する際に、耳の大きさに合わせて挿入口側の一部または全部を破断される。このようにすることで、耳の大きさに対応した分だけ挿入口を大きくすることができ、挿入口の大きさを装着者に適切な大きさにすることができる。
【００６９】
図７は、スリット１５からなる挿入口１３の一端部側に連続して形成され、挿入口１３の長さを延長できる延長切り取り線３１（ミシン目３５）が形成された薬剤付着防止用耳カバー１０３を示している。この延長切り取り線３１は、スリット１５からなる挿入口１３の延長線上に延びるように形成されている。
【００７０】
また、延長切り取り線としては、挿入口を形成できる切り取り線と同じ間隔の破線とすることができる。また、耳カバー本体の周縁部に近づくに従って間隔が広がる破線とすることもでき、この場合、延長切り取り線を誤って切りすぎてしまうことを防止できるため、適度な大きさの挿入口を形成できる。そのため、使用感を向上させたり、装着後に外れてしまったりすることを防止できる。
【００７１】
切れ込みまたはミシン目は、横方向に１本以上形成してもよく、複数本以上形成することもできる。この「横方向に形成する１本以上の切れ込みまたはミシン目」は、挿入口または切り取り線を跨いで対応する位置に対をなすように形成することができ、この「対をなす切れ込みまたはミシン目」を複数本適宜設定形成することもできる。このようにすると、装着者の耳をより簡単に耳カバー本体内に挿入することができる。
【００７２】
図８は、スリット１５からなる挿入口１３の両端側に延長切り取り線３１（ミシン目３５）が形成され、更に、「対をなす切れ込み３０」が４対形成されている薬剤付着防止用耳カバー１０４を示している。
【００７３】
［２］薬剤付着防止用耳カバーの使用方法：
本発明の薬剤付着防止用耳カバーの使用方法について、挿入口としてスリットが形成されている薬剤付着防止用耳カバー（図１に示す薬剤付着防止用耳カバー１００）を例に説明する。
【００７４】
まず、薬剤付着防止用耳カバーの開口部に人差し指及び中指を挿入する。その後、人差し指及び中指を広げることでスリットを広げる（図１０参照）。そして、薬剤付着防止用耳カバーが耳を覆うように配置し、広がったスリットに耳の上端部を引っ掛けながら、耳全体がスリットを通るように人差し指及び中指でガイドする。このようにして、薬剤付着防止用耳カバーの耳カバー本体内に耳を収納しつつ、人差し指及び中指を開口部から抜き出すことで、薬剤付着防止用耳カバーの装着が完了する（図１１、図１２参照）。
【００７５】
その後、薬剤を毛髪に塗布し、薬剤を洗い落とす作業段階で耳から外す。なお、本発明の薬剤付着防止用耳カバーは、使い捨てとすることが良いが、洗浄して乾かした後に再度使用することもできる。
【００７６】
なお、延長切れ込み線が形成されている場合、薬剤付着防止用耳カバーの開口部に人差し指及び中指を挿入する前に、延長切れ込み線の一部又は全部を破断して装着者の耳の大きさに合わせて、スリットを大きく（長くする）ことができる。
【００７７】
また、耳カバー本体内に耳を通すための挿入口を形成できる切り取り線が形成されている薬剤付着防止用耳カバーの使用例について以下に説明する。
【００７８】
まず、薬剤付着防止用耳カバーの開口部に人差し指及び中指を挿入する。その後、切り取り線が破断されるように人差し指及び中指を広げてスリットを形成する。その後は、上記スリットが形成されている場合と同様の手順で、薬剤付着防止用耳カバーを耳に装着をする。
【００７９】
その後、薬剤を毛髪に塗布し、薬剤を洗い落とす作業段階で耳から外す。なお、本発明の薬剤付着防止用耳カバーは、使い捨てとすることが良いが、洗浄して乾かした後に再度使用することもできる。
【産業上の利用可能性】
【００８０】
本発明の薬剤付着防止用耳カバーは、理美容店、サロン、更には個人が自分で、毛髪を染毛する際、又は毛髪にパーマを施す際に、染毛剤やパーマ液等の薬剤が耳に付着することを防ぐことができる。また、本発明の薬剤付着防止用耳カバーは、装着時に圧迫感がなく良好な使用感を得ることができる。
【符号の説明】
【００８１】
１０：耳カバー本体、１１：開口部、１３：挿入口、１５：スリット、１７：貫通孔、１９：切り取り線、２１：第１のシート状部材、２３：第２のシート状部材、３０：切れ込み、３１：延長切り取り線、３５：ミシン目、４１：指、１００，１０１，１０２，１０３，１０４，１０５：薬剤付着防止用耳カバー、２００：耳、Ａ：耳の下端部分、Ｊ：耳の上縁部分。
【図１】
2018011643.tif 000003
【図２】
2018011643.tif 000004
【図３】
2018011643.tif 000005
【図４】
2018011643.tif 000006
【図５】
2018011643.tif 000007
【図６】
2018011643.tif 000008
【図７】
2018011643.tif 000009
【図８】
2018011643.tif 000010
【図９】
2018011643.tif 000011
【図１０】
2018011643.tif 000012
【図１１】
2018011643.tif 000013
【図１２】
2018011643.tif 000014
【図１３】
2018011643.tif 000015